(57)【要約】【課題】浴室内において水垢汚れや微生物による汚れが付着することを防止できる浴室の水改質システムを提供する。【解決手段】給水源と浴室１内に設けた吐水部２を接続する給水路３に給水源から供給された水に含まれる溶解物質を除去するための除去手段７を備える。吐水部２から除去手段７により溶解物質を除去した水を吐出可能とする。除去手段７により溶解物質を除去した除去水と溶解物質を含む濃縮水とに分離し、このうち除去水を上記吐水部２から吐出可能とする。浴室１内に前記濃縮水を吐出する吐出部２５を設ける。【選択図】図４
2011255379.tif 000002
【特許請求の範囲】
【請求項１】
給水源と浴室内に設けた吐水部を接続する給水路に給水源から供給された水に含まれる溶解物質を除去するための除去手段を備え、前記吐水部から除去手段により溶解物質を除去した水を吐出可能とする浴室の水改質システムであって、上記除去手段により溶解物質を除去した除去水と溶解物質を含む濃縮水とに分離し、このうち除去水を上記吐水部から吐出可能とし、浴室内に前記濃縮水を吐出する吐出部を設けることを特徴とする浴室の水改質システム。
【請求項２】
除去手段によって溶解物質が除去された水、又は除去手段によって溶解物質が除去されていない給水源からの水を選択的に吐水部から吐出可能とすることを特徴とする請求項１に記載の浴室の水改質システム。
【請求項３】
除去手段によって溶解物質が除去された水と除去手段によって溶解物質が除去されていない給水源からの水とを混合した混合水を吐水部から吐出可能とし、該吐水部から吐出される混合水における溶解物質が除去された水と除去されていない水の混合比を調節するための混合比調節手段を備えることを特徴とする請求項１又は請求項２に記載の浴室の水改質システム。
【発明の詳細な説明】
【技術分野】
【０００１】
本発明は浴室に供給される水の改質システムに関する。
【背景技術】
【０００２】
浴室に設けたカランやシャワー等から吐出される水は一般的に水道水である（例えば特許文献１参照）。ところで水道水にはカルシウムやマグネシウム、ケイ素等の溶解物質が多く含まれるため、水道水で浴室内を洗浄した場合には、浴室内に残った水道水が蒸発して浴室内において水垢汚れが生じる恐れがあり、また、水道水には細菌の増殖に必要な成分も含まれているので、浴室内には微生物による汚れも発生しやすい。また、ミネラル成分を含む水道水は金属石けんが発生し、該金属石けんの発生により石けんの洗浄力を低下させるという問題もある。
【先行技術文献】
【特許文献】
【０００３】
【特許文献１】特開２００３−１９００３７号公報
【発明の概要】
【発明が解決しようとする課題】
【０００４】
本発明は上記従来の問題点に鑑みてなされたものであって、浴室内において水垢汚れや微生物による汚れが付着することを防止できる浴室の水改質システムを提供することを課題とするものである。
【課題を解決するための手段】
【０００５】
上記課題を解決するために本発明に係る浴室の水改質システムは、給水源と浴室１内に設けた吐水部２を接続する給水路３に給水源から供給された水に含まれる溶解物質を除去するための除去手段７を備え、前記吐水部２から除去手段７により溶解物質を除去した水を吐出可能とする浴室の水改質システムであって、上記除去手段７により溶解物質を除去した除去水と溶解物質を含む濃縮水とに分離し、このうち除去水を上記吐水部２から吐出可能とし、浴室１内に前記濃縮水を吐出する吐出部２５を設けることを特徴とする。
【０００６】
浴室１内に設けた吐水部２から除去手段７により溶解物質を除去した水を吐出でき、浴室１に居る人はこの水を利用して、浴室１内をすすいだり、体を洗ったりできる。そしてこの吐水部２から浴室１内に吐出される水はカルシウムやマグネシウム、ケイ素等の溶解物質を除去したものであるため、浴室１内で水垢汚れ、微生物による汚れが付着することを防止できる。また、この場合、吐水部２から吐出される水はミネラル成分が除去されているので、金属石けんの発生を抑えることができ、またこれにより石けんの洗浄力が低下することを防止できる。また、除去手段７により溶解物質を除去した除去水を生成する際に分離生成された溶解物質を含む水、即ちミネラルを豊富に含む濃縮水を吐出部２５から浴室１内に吐出でき、使用者はこれを浴室１内において利用できる。
【０００７】
また、請求項２は請求項１において、除去手段７によって溶解物質が除去された水、又は除去手段７によって溶解物質が除去されていない給水源からの水を選択的に吐水部２から吐出可能とすることを特徴とする。溶解物質を除去した水が不要な時には除去手段７によって溶解物質が除去されていない水を吐出でき、除去手段７にかかる負荷を低減できる。
【０００８】
また、請求項３は請求項１又は請求項２において、除去手段７によって溶解物質が除去された水と除去手段７によって溶解物質が除去されていない給水源からの水とを混合した混合水を吐水部２から吐出可能とし、該吐水部２から吐出される混合水における溶解物質が除去された水と除去されていない水の混合比を調節するための混合比調節手段を備えることを特徴とする。溶解物質を殆ど含まない純度の高い水が不要な時には吐水部２から溶解物質が除去された水と除去手段７によって溶解物質が除去されていない水とを混合した混合水を吐出でき、除去手段７にかかる負荷を低減できる。また、混合水を吐出する際には溶解物質が除去された水と除去されていない水の混合比を所望の混合比に調節でき、所望の混合比の混合水を得ることができる。
【発明の効果】
【０００９】
本発明では、吐水部から浴室内にカルシウムやマグネシウム、ケイ素等の溶解物質を除去した水を吐出でき、浴室内で水垢汚れや微生物による汚れが生じることを防止できる。また、金属石けんの発生を抑えることができ、石けんの洗浄力が低下することを防止できる。また、除去手段により溶解物質を除去した除去水を生成する際に分離生成された溶解物質を含む水、即ちミネラルを豊富に含む濃縮水を吐出部から浴室内に吐出でき、使用者はこれを浴室内において利用できる。
【図面の簡単な説明】
【００１０】
【図１】本発明の一例の浴室の水改質システムを示す概略構成図である。
【図２】他例の浴室の水改質システムを示す概略構成図である。
【図３】更に他例の浴室の水改質システムを示す概略構成図である。
【図４】更に他例の浴室の水改質システムを示す概略構成図である。
【発明を実施するための形態】
【００１１】
以下、本発明を添付図面に示す実施形態に基づいて説明する。図１に示す一例の浴室の水改質システムは給水源と浴室１内に設けた吐水部２を接続する給水路３に溶解物質を除去するための除去手段７を設けたものである。
【００１２】
給水源は給湯器を介して給水路３に水道水を供給する上水道で構成してある。なお、給水源から供給される水は井戸水や貯留タンクから供給される水であっても良い。
【００１３】
吐水部２として浴室１の壁やカウンタ等に設けられるカラン５とカラン５に接続したシャワー装置６を備えている。一本の流路で構成された給水路３の下流側端部はカラン５に接続してあり、給水路３から供給されて除去手段７で溶解物質が除去された処理水をカラン５又はシャワー装置６のいずれか一方から選択的に吐出できるようになっている。
【００１４】
除去手段７は給水源から供給された水に含まれる溶解物質等の不純物を除去して純水化する逆浸透膜装置７ａで構成してあり、逆浸透膜装置７ａはプレフィルタ８とポンプ９、と逆浸透膜フィルタ１０を備えている。
【００１５】
プレフィルタ８は繊維フィルタ及び活性炭フィルタで構成してあり、繊維フィルタは水中に含まれる５μｍ以上の比較的大きなごみ、沈殿物、さび、小片などを除去し、活性炭フィルタは繊維フィルタを通過した水に含まれる残留塩素、臭気濁り、有機化合物、塩化炭化水素等を除去する。ポンプ９はプレフィルタ８で前処理がなされた水を昇圧して逆浸透膜フィルタ１０に供給するもので、ポンプ９から供給された水が逆浸透膜フィルタ１０を透過することで、プレフィルタ８では除去されなかったカルシウムやマグネシウム、ケイ素等の溶解物質等の不純物が略完全に除去されて透過水（除去水）が生成される。また、この時、副次的に前記溶解物質等を高濃度で含んだ濃縮水が分離生成される。そして、このように逆浸透膜フィルタ１０により分離生成された透過水及び濃縮水のうち透過水は処理水として下流側の給水路３を介して吐水部２に供給され、濃縮水は浴室１の外部へと排出される。なお、上記逆浸透膜装置７ａでは透過水として導電率が１μＳ／ｃｍ以下の純水を生成する。
【００１６】
上記水改質システムを利用する場合、カラン５に設けた操作部を操作して給水源から逆浸透膜装置７ａを介して吐水部２に水を供給する共に逆浸透膜装置７ａのポンプ９を駆動する。これにより逆浸透膜装置７ａで溶解物質等の不純物が除去された水（純水）がカラン５の吐水口５ａやシャワー装置６のシャワーノズル６ａから浴室１内に吐出される。
【００１７】
以上説明した本例の浴室の水改質システムは、浴室１内に設けた吐水部２から除去手段７（逆浸透膜装置７ａ）により溶解物質を除去した水を吐出できる。従って、浴室１に居る人はこの水を利用して、浴室１内をすすいだり、体を洗ったりできる。そして、ここで吐水部２から浴室１内に吐出される水はカルシウムやマグネシウム、ケイ素等の溶解物質を除去したものであるため、浴室１内において水垢汚れ、微生物による汚れが付着することを防止できる。また、吐水部２から吐出される水はミネラル成分が除去されたものであるので、金属石けんの発生を抑えることができ、また、これにより石けんの洗浄力が低下することを防止できる。また、逆浸透膜装置７ａでは給水源から供給された水に含まれる残留塩素濃度を低下させることもできるので、吐水部２からは肌への刺激が少ない水を吐出でき、敏感肌の人に有効である。
【００１８】
なお、本例では除去手段７を逆浸透膜装置７ａで構成したが、溶解物質を除去して高い純度の水を生成できるものであれば従来から利用されている他の除去手段７を利用しても良い。
【００１９】
次に他例の水改質システムを図２に示す。なお、以下の説明では一例と同一の構成については同一の番号を付与し、重複する説明は省略する。
【００２０】
図２に示す他例の水改質システムは、除去手段７によって溶解物質が除去された水である処理水、又は除去手段７によって溶解物質が除去されていない水である非処理水、又は前記処理水と非処理水を混合した混合水のうち、いずれか一種の水を選択的に吐水部２から吐出できるようにしたものであり、さらに前記混合水における処理水と非処理水の混合比を調節するための混合比調節手段を備えたものである。
【００２１】
給水路３は給水源と吐水部２を接続する主流路１４と、主流路１４のバイパス路となる副流路１５で構成してあり、主流路１４及び副流路１５のうち副流路１５にのみ逆浸透膜装置７ａを設けている。主流路１４において副流路１５との分岐点１８よりも下流側で且つ副流路１５との合流点１９よりも上流側の箇所と、副流路１５において逆浸透膜装置７ａよりも上流側の箇所には流量調整機能を有する電磁弁からなる弁１６、１７を設けている。
【００２２】
本例の水改質システムはカラン５やシャワー装置６から上記処理水又は非処理水又は混合水のうちいずれか一種の水を選択的に吐出可能となっている。
【００２３】
即ち、吐水部２から処理水を吐出する場合には、給水源から給水路３に水を供給し、且つ弁１６を閉じる共に弁１７を開き、且つ逆浸透膜装置７ａのポンプ９を駆動する。これにより給水路３に供給された水は副流路１５側に流れて一例と同様に逆浸透膜装置７ａにより処理され、この後、処理水として吐水部２から吐出される。
【００２４】
また、吐水部２から非処理水を吐出する場合には、給水源から給水路３に水を供給し、且つ弁１７を閉じる共に弁１６を開く。これにより給水路３に供給された水は逆浸透膜装置７ａを設けた副流路１５側には流れず主流路１４を流れて吐水部２から逆浸透膜装置７ａによって処理されていない非処理水として吐出される。
【００２５】
また、吐水部２から混合水を吐出する場合には、給水源から給水路３に水を供給し、且つ弁１６、１７を共に開き、且つ逆浸透膜装置７ａのポンプ９を駆動する。また、この時の各弁１６、１７の開度は図示しない操作部の操作により予め設定された混合比に応じた開度となる。これにより給水路３に供給された水は主流路１４及び副流路１５に流れ、この後、合流点１９において副流路１５を通過して逆浸透膜装置７ａにより処理された処理水と主流路１４を通過して処理されていない非処理水とが合流し、ここで各弁１６、１７の開度に対応する比率で処理水と非処理水が混合される。そして、吐水部２から処理水と非処理水とが所定の混合比で混合された混合水として吐出される。つまり本例では流量調整機能を有する弁１６、１７で混合比調節手段を構成している。
【００２６】
既述のように本例の水改質システムは、除去手段７によって溶解物質が除去された水である処理水、又は除去手段７によって溶解物質が除去されていない水である非処理水、又は前記処理水と非処理水を混合した混合水のうち、いずれか一種の水を選択的に吐水部２から吐出できるようにしたので、水は必要であるが溶解物質を除去した水が不要な時や、溶解物質を除去した水は必要であるが純度の高い水が必要ではない時に、吐水部２から非処理水や混合水を吐出でき、除去手段７にかかる負荷を低減できる。また、混合水を吐出する場合には処理水と非処理水の混合比を所望の混合比に調節でき、必要な混合比の混合水を得ることができる。
【００２７】
次に更に他例の水改質システムを図３に示す。なお、以下の説明では図２に示す他例の水改質システムと同一の構成については同一の番号を付与し、重複する説明は省略する。
【００２８】
本例では、吐水部２として、カラン５及びシャワー装置６に加えて、除去手段７によって溶解物質が除去された水を浴室１内に散布する散布装置２０を備えている。また、副流路１５における逆浸透膜装置７ａよりも下流側の分岐点２３に分岐路２２の上流端を接続し、該分岐路２２の下流側を散布装置２０に接続してある。分岐点２３には三方電磁弁からなる弁２４を設けてあり、弁２４を切り替えることで、逆浸透膜装置７ａで溶解物質が除去された水を散布装置２０に供給し、散布装置２が有する多数のノズル２０ａから浴室１内に散布できるようにしてある。
【００２９】
即ち、散布装置２０から処理水を吐出する場合には、給水源から給水路３に水を供給し、弁１６を閉じる共に弁１７を開き、弁２４を散布装置２０側に切り替え、逆浸透膜装置７ａのポンプ９を駆動する。これにより給水路３に供給された水は副流路１５側に流れて逆浸透膜装置７ａにより処理され、この後、分岐路２２を介して散布装置２０から処理水として吐出される。
【００３０】
また、カラン５やシャワー装置６から処理水を吐出するには、給水源から給水路３に水を供給し、弁１６を閉じる共に弁１７を開き、弁２４を主流路１４側に切り替え、逆浸透膜装置７ａのポンプ９を駆動する。これにより給水路３に供給された水は副流路１５側に流れて逆浸透膜装置７ａにより処理され、この後、主流路１４を介してカラン５やシャワー装置６から処理水として吐出される。
【００３１】
本例の水改質システムは散布装置２０により除去手段７によって溶解物質が除去された水を浴室１内に散布でき、散布した水を用いて浴室１内の広範囲を洗浄できる。
【００３２】
なお、上記散布装置２０からの処理水の吐出は弁２４を手動で切り替えて行っても良いが、例えば入浴後に自動的に散布装置２０から処理水が吐出されるようにしても良い。ここで、入浴後の判定の一例としては、例えば浴室１内に人体検知センサを設け、浴室１に人が入って人体検知センサにより人を検知した後に浴室１から人が出て人体検知センサにより人を検知しなくなった時に入浴後であると判定することが挙げられる。
【００３３】
次に更に他例の水改質システムを図４に示す。なお、以下の説明では図２に示す他例の水改質システムと同一の構成については同一の番号を付与し、重複する説明は省略する。
【００３４】
図４に示す更に他例の水改質システムは、上記除去手段７により除去された溶解物質を含む水を吐出する吐出部２５として別途カランを浴室１内に設けている。吐出部２５は濃縮水流路２６を介して逆浸透膜装置７ａの逆浸透膜フィルタ１０に接続してあり、濃縮水流路２６には排水路２８を接続してある。濃縮水流路２６の排水路２８との分岐点２７には三方電磁弁からなる弁２９を設けてあり、弁２９を切り替えることで逆浸透膜装置７ａから供給された濃縮水を濃縮水流路２６を介して吐出部２５から浴室１内に吐出することができる。
【００３５】
即ち、吐出部２５から浴室１内に濃縮水を吐出するには、既述の吐水部２から処理水を吐出する時、即ち、給水源から給水路３に水を供給し、弁１６を閉じる共に弁１７を開き、逆浸透膜装置７ａのポンプ９を駆動する時に、弁２９を吐出部２５側に切り替える。これにより逆浸透膜装置７ａで透過水（除去水）が生成する際に分離生成された濃縮水は濃縮水流路２６を介して吐出部２５から浴室１内に吐出される。また、吐水部２から処理水を吐出している時に吐出部２５から濃縮水を吐出しないようにするには弁２９を排水路２８側に切り替えて、逆浸透膜装置７ａで生成された濃縮水を排水路２８を介して浴室１の外部に排水する。
【００３６】
本例の水改質システムは除去手段７により除去された溶解物質を含む水、即ちミネラルを豊富に含む濃縮水を吐出部２５から浴室１内に吐出でき、使用者はこれを浴室１内において利用できる。
【００３７】
なお、本例では濃縮水流路２６から排水路２８を分岐し、弁２９を切り替えることで、濃縮水を排水路２８から排出できるようにしたが、排水路２８及び弁２９を設けず、吐水部２から処理水を吐出する時に常に吐出部２５から濃縮水が吐出されるようにしても良い。また、本例でも図３の例と同様に、副流路１５における逆浸透膜装置７ａよりも下流側の分岐点２３に分岐路２２の上流端を接続し、該分岐路２２の下流側を散布装置２０に接続し、散布装置２０から処理水を吐出するか、カラン５やシャワー装置６から処理水を吐出するかを切り替え可能としても良い。
【符号の説明】
【００３８】
１  浴室
２  吐水部
３  給水路
７  除去手段
７ａ  逆浸透膜装置
２５  吐出部
【図１】
2011255379.tif 000003
【図２】
2011255379.tif 000004
【図３】
2011255379.tif 000005
【図４】
2011255379.tif 000006